(57)【要約】【課題】  遊技機遊技中の喫煙に伴う副流煙害を軽減し、快適に遊技できるような吸煙浄化装置を提供する。【解決手段】  一端開口部が遊技機１の前面扉３に具設された喫煙用灰皿１６の近傍に形成された吸気口２１に繋がれるとともに他端開口部が遊技機１の筐体２内に開口され、一端開口部から他端開口部に至る空気流路空間を形成する空気流路形成部材２３と、空気流路空間内に位置して空気流路形成部材２３に装填され、空気流路空間を通過する空気を清浄化するエアフィルター２４と、空気流路空間内を一端開口部から他端開口部に流れる空気流を形成させる送風ファン２６とから構成する。そして、送風ファン２６により吸気口２１から喫煙用灰皿１６の近傍の空気を吸い込んで空気流路空間内を通過させるとともにエアフィルター２４により浄化して筐体２内に送り込み、筐体２に設けられた排気口６から外部に浄化空気を排出させるように構成する。【選択図】  図１
2005087439.tif 000002
【特許請求の範囲】
【請求項１】
前面開口を有して箱状に形成されたキャビネット部材および前記前面開口を開閉可能に取り付けられた扉部材からなる筐体と、前記筐体内部に配設される遊技装置とを備え、前記扉部材に喫煙用灰皿が設けられた遊技機において、
一端開口部が前記喫煙用灰皿の近傍に繋がれるとともに他端開口部が筐体内に開口され、前記一端開口部から前記他端開口部に至る空気流路空間を形成する空気流路形成部材と、
前記空気流路空間内に位置して前記空気流路形成部材に装填され、前記空気流路空間を通過する空気を清浄化するためのエアフィルターと、
前記空気流路形成部材内を前記一端開口部から前記他端開口部に流れる空気流を形成させるための送風ファンとから構成され、
前記送風ファンにより前記吸気口から前記喫煙用灰皿の近傍の空気を吸い込んで前記空気流路空間内を通過させるとともに前記エアフィルターにより浄化して前期筐体内に送り込み、前記筐体に設けられた排気口から外部に浄化空気を排出させるように構成したことを特徴とする遊技機の吸煙浄化装置。
【請求項２】
前記空気流路形成部材の前記他端開口部が前記筐体内に配された前記遊技装置の構成部品に対向して設けられており、前記他端開口部から前記筐体内に送り込まれる浄化空気を前記遊技装置の構成部品に吹き付けるように構成されることを特徴とする請求項１に記載の遊技機の吸煙浄化装置。
【請求項３】
前記吸煙浄化装置が間欠駆動装置により、間欠的に駆動するように制御されることを特徴とする請求項１もしくは２に記載の遊技機の吸煙浄化装置。
【発明の詳細な説明】
【技術分野】
【０００１】
本発明は、紫煙、塵芥等を吸引し空気を清浄化して排出する吸煙浄化装置に関するもので、さらに詳言すれば、遊技施設内の空気清浄化のために、遊技機に設けられた灰皿近傍に設置される吸煙浄化装置に関するものである。
【背景技術】
【０００２】
パチンコ機、スロットマシン等の遊技機を取り扱う遊技施設において、各遊技機は近接して設置されており、遊技者の喫煙は一般的に遊技機に設けられている灰皿を利用して行われるため、遊技中に、喫煙中の遊技者からの副流煙害を被ることが問題となっている。また、施設内に禁煙スペースを設けてその他の施設内を喫煙可能にすることは接客営業上から難しく、遊技施設内に密に設置された遊技機の至るところから紫煙が立ち昇るため、さらに、防音、空調の見地から施設は閉空間であることが好ましいことも併せて、施設内は紫煙等に起因する汚染空気が充満し易い状況である。
【０００３】
以上の問題点に関して、遊技施設では、天井部あるいは壁面に大型の換気機器を設置し施設内全体の空気浄化を行うとともに、遊技中における喫煙時に発生する紫煙の拡散を防ぐために、遊技機の近傍に吸煙浄化装置を設けることで対応してきた。遊技機の近傍に設置した吸煙浄化装置の例としては、遊技機の設置枠台の上方に設置する吸煙浄化装置がある（特許文献１）。
【０００４】
また、遊技機筐体内においては、遊技機の動作を制御するＣＰＵおよび記憶素子であるＲＯＭ、ＲＡＭ等の電子回路を配置した遊技制御基板が設けられている。この遊技制御基板付近では、電子回路が発した熱によって温度が上昇することにより、電子回路の誤作動あるいは耐用期間の短縮が起こり得るという問題を抱えている。これに対し、特許文献２に記載のように、放熱部材を用いて電子回路が発した熱を拡散させる方法がある。
【特許文献１】特願平１０−１６５６２４号
【特許文献２】特開２００３−９３７０４号公報
【発明の開示】
【発明が解決しようとする課題】
【０００５】
特許文献１に開示された遊技機近傍に設けられた吸煙浄化装置の手段は、吸煙浄化装置を遊技機の設置枠台の上方に取り付け、遊技中における喫煙時に発生する紫煙を吸煙浄化装置下部に配設された吸気口より吸入し、エアフィルター部で清浄化された空気を吸煙浄化装置上部および側部に配設された吹出口から施設内に放出するものである。当例により、喫煙者周囲の遊技者への煙害を軽減するとともに、天井部あるいは壁面の大型換気システムへの負荷を軽減するという効果がある。しかしながら、喫煙者が煙草を保持することの多い灰皿の位置と当例の吸煙浄化装置との間の距離が大きいことから、紫煙が吸煙浄化装置へ吸入されるまでの汚染空気の流路が遊技機前面に存在する。このため、依然として紫煙は拡散する傾向にあり、周囲の遊技者に対する副流煙害の問題は残っている。
【０００６】
本発明は、上記のような問題に鑑みて成されたものであり、遊技中における喫煙時の紫煙の拡散によって生じる汚染空気をより効果的に清浄化するとともに、遊技装置の電子回路が発する熱の拡散に寄与する吸煙浄化装置を提供することを目的とする。
【課題を解決するための手段】
【０００７】
上記問題を解決するために、本発明に係る遊技機の吸煙浄化装置は、前面開口を有して箱状に形成されたキャビネット部材およびこの前面開口を開閉可能に覆って取り付けられた扉部材からなる筐体と、この筐体内部に配設される遊技装置とを備え、扉部材の前面に喫煙用灰皿が設けられた遊技機において、一端開口部が喫煙用灰皿の近傍に形成された吸気口に繋がれるとともに他端開口部が筐体内に開口され、一端開口部から他端開口部に至る空気流路空間を形成する空気流路形成部材と、空気流路空間内に位置して空気流路形成部材に装填され、空気流路空間を通過する空気を清浄化するエアフィルターと、空気流路空間内を一端開口部から他端開口部に流れる空気流を形成させる送風ファンとから構成される。そして、送風ファンにより吸気口から喫煙用灰皿の近傍の空気を吸い込んで空気流路空間内を通過させるとともにエアフィルターにより浄化して筐体内に送り込み、筐体に設けられた排気口から外部に浄化空気を排出させるように構成している。
【０００８】
なお、空気流路形成部材の他端開口部が筐体内に配された遊技装置の構成部品に対抗して設けられており、他端開口部から筐体内に送り込まれる浄化空気を遊技装置の構成部品に吹き付けるように構成するのが好ましい。また、吸煙浄化装置が間欠駆動装置により間欠的に駆動するように制御される構成とするのが好ましい。
【発明の効果】
【０００９】
本発明によれば、吸気口が灰皿近傍に設けられていることから、遊技中の喫煙者が煙草を保持することの多い灰皿近傍から発生する紫煙をより効果的に吸煙浄化装置空気流路空間内に吸引し、その内部に配設されたエアフィルターにより浄化することができる。このため、遊技施設内空気浄化を効率良く行うことができる。また、吹出口が筐体内部に設けられ、清浄空気が筐体内部に送り込まれた後に筐体に設けられた排気口から放出するよう構成されているので、浄化空気が筐体内を流れて筐体内で発生した熱を外部に効果的に排出させることができる。
【００１０】
このようなことから、他端開口部を筐体内に配された遊技装置の構成部品（例えば、ＣＰＵ等が設けられた遊技制御基板）に対向させ、他端開口部から筐体内に送り込まれる浄化空気をこの構成部品に吹き付けるように構成するのが好ましく、これにより発熱が問題となりやすい構成部品を効果的に冷却することができる。
【００１１】
また、吸煙浄化装置を間欠的に駆動するように制御、たとえば、吸煙浄化装置を吸煙開始あるいは遊技開始と連動して駆動するように運転制御すれば、エアフィルターへの負荷が遊技者の紫煙に限って効率良く運転制御することができ、エアフィルターの耐用期間を長くすることができる。
【発明を実施するための最良の形態】
【００１２】
以下、本発明の好ましい実施形態について図面を参照しながら説明する。
【実施例１】
【００１３】
本発明に係る吸煙浄化装置を備えた遊技機の一例として、図１に外観斜視図を示すスロットマシンを用いて説明する。このスロットマシン１は、前面が矩形状に開口した略直方体箱状のキャビネット部材４と、このキャビネット部材４の右側端部にスライドヒンジを介して開閉揺動自在に取り付けられた前面扉３とから構成される筐体２内にスロット遊技装置を配設して構成される。
【００１４】
スロットマシン１の前面扉３を開放して正面視した図６、および上記スロットマシン１のキャビネットボックス４内の斜視図である図７に示すように、筐体２内にスロット遊技装置が配設されている。このスロット遊技装置は、外部から電力供給を受けて内部装置に必要な電力を供給する電源ボックス１１、図柄が描かれた三つのリール１２ａ、１２ｂ、１２ｃを回転・停止させるリール装置１２、遊技者の操作に応じてリール装置１２の回転・停止制御や遊技制御を行うための主制御基板１３、主制御基板１３からの指令に基づいてメダルの払い出しを行うメダル払出装置１４等がある。また、図１に示すように、前面扉３の前面部には、下部にメダル払出装置１４から払い出されるメダルを受けるメダル受け皿１５が取り付けられる。メダル受け皿１５には喫煙しながら遊技できるように喫煙用灰皿１６が付設されている。
【００１５】
本発明に係る吸煙浄化装置５はエアフィルター２４が装填された空気流路形成部材２３を有して構成され、図１に示すように、喫煙用灰皿１６に近傍のメダル受け皿１５の上側に形成された吸気口２１に一端側が繋がって配置されている。なお、吸煙浄化装置５の他端側（空気流路形成部材２３の他端）に位置する吹出口２２は筐体２の内部に開口している。さらに、吹出口から筐体内部に放出される空気を外部へ放出するために、筐体２を形成しているキャビネット部材４に、排気口６が設けられる。
【００１６】
図３に示すように、吸煙浄化装置５が繋がる吸気口２１は、メダル受け皿１５に取り付けられた紫煙の拡散を防止するためのカバー３１と、紫煙に含まれるタール成分を沈着するためのネット３２とから構成される。メダル受け皿１５には所要の貫通孔が穿設されて、ネット３２がこの貫通孔に蓋着する。ここで、ネット３２は、通気可能なものであればよく、例えば、パンチングメタル等が適用される。さらに、吸気口２１には、喫煙開始に伴って発生する紫煙を感知するための煙センサ３３がついている。
【００１７】
吸煙浄化装置５は、図２に示すように、空気流路形成部材２３と、空気流路形成部材取付具２５と、吹出口２２とからなる。吹出口２２は、送風ファン２６と、送風ファン２６と同径の孔が穿設されたファン取付具２７とがねじで締着されることによって形成される。
【００１８】
空気流路形成部材２３（例えば、両底面が開口した円筒形アクリル管）の一端開口部は、メダル受け皿１５に穿設された貫通孔に密嵌され、裏側に蓋着するネット３２に当接するよう固定される。また、空気流路形成部材２３の他端開口部より、空気流路形成部材２３内に着脱可能なエアフィルター２４が装填される。エアフィルター２４は、主に煙成分を濾過するための濾過フィルタ３３（例えば、不織布）と主に臭いを吸着するための吸着フィルタ３４（例えば、活性炭）とから形成される。これらをカートリッジ式としてパッケージして装填する。また、空気流路形成部材２３の他端開口部は、空気流路形成部材固定具２５に密嵌固定される。この空気流路形成部材固定具２５とファン取付具２７の側面には互いに容易に着脱可能にするための図示しない係止具が設けられており、この係止具で連結されることにより、図４に示すように、空気流路形成部材２３を介して吸気口２１と吹出口２２とを連絡する閉空間の空気流路が形成される。
【００１９】
以上のように構成される本発明に係る吸煙浄化装置５を備えたスロットマシン１で、遊技者が喫煙を開始し、煙草をスロットマシン１の前面に設けられた喫煙用灰皿１６に近づけると、煙センサ３３が紫煙を感知し送風ファン２６が駆動される。送風ファン２６の駆動により、吸煙浄化装置５に空気流が発生し、紫煙がネット３２を通過する。ネット３２への沈着によってタール成分が減少した後、吸煙浄化装置５の内部に吸引され、エアフィルター２４が装填された空気流路形成部材２３内に流入する。エアフィルター２４を通過することにより消煙、消臭された清浄空気は、図１，４における破線矢印Ａで示すように、送風ファン２６を通じて吹出口２２から筐体２内へ放出され、筐体２の壁面に配設された排気口から外部へ排出される。喫煙者が喫煙を終了すると、煙センサ３３が紫煙を感知しないことにより、送風ファン２６が停止するよう制御される。
【００２０】
本実施例において、吸気口２１がスロットマシン１の喫煙用灰皿１６の近傍に配置されるため、遊技中における喫煙時に発生する紫煙を効果的に吸気口２１に導くことができる。また、吸煙浄化装置５の吹出口２２と排気口６の間に清浄空気流路が形成されることにより筐体２内を換気するように構成されているが、破線矢印Ａで示すように、清浄空気流路中にスロットマシン１の主制御基板１３が存するように排気口６を配設すれば、主制御基板１３の強制冷却を行うことができる。
【００２１】
また、エアフィルター２４をカートリッジ式とすることによって、吸煙浄化装置５の維持管理においてカートリッジの定期的な交換作業のみ必要となり、従来の吸煙浄化装置、空気清浄機器の維持管理において大掛かりな作業であったフィルタの洗浄等を省略でき、維持管理に要する労力、経費を低く押さえることができる。さらに煙センサ３３による喫煙開始と吸煙浄化装置５の作動との連動により、常時送風ファン２６が駆動している際と比較して、エアフィルター２４への負荷が軽減され、カートリッジの耐用期間を長くすることできると同時に、送風ファン２６のモータの耐用期間を長くすることができる。さらに、空気流路形成部材固定具２５とファン取付具２７は、容易に着脱可能に連結されるため、エアフィルター２４のカートリッジの交換作業は容易に行うことができる。
【実施例２】
【００２２】
次に、本発明に係る吸煙浄化装置５の他の実施例について、図５を参照して説明する。なお、本実施例において実施例１と同一の部材に関しては、同一の符号を用いて説明する。
【００２３】
実施例２に適用される遊技機は、実施例１と同様にスロットマシン１であり、その構成は図６，図７に示すように、実施例１で説明したものと同一のものである。また、吸気口２１についても、図３で示すように実施例１で説明したものと同一のものであり、煙センサ３３を用いた間欠駆動を行う。
【００２４】
ここで、実施例１において、エアフィルター２４を装填した空気流路形成部材２３は直接的にメダル受け皿１５に密嵌固定されたが、前面扉３の開閉時に吸煙浄化装置５が電源ボックス１１あるいはメダル払出口１４等のスロットマシン１の構成部品に干渉することにより前面扉３の開閉が困難になる場合や、図４に示すように筐体２の内部に空気流路形成部材２３を水平方向に配置するには十分な空間が存在しない場合等を考慮して、実施例２は以下の通り構成される。
【００２５】
スロットマシン１の前面扉３に設けられたメダル受け皿１５に穿設された貫通孔に、バンド型フレキシブルホース４３の一端開口部を密嵌固定し、他端開口部を吸煙浄化装置５の空気流路形成部材２３の一端開口部に密嵌固定する。そして、このフレキシブルホース４３を吸煙浄化装置５の空気流路が鉛直方向上向きとなるように曲折させて、他端開口部からエアフィルター２４が装填された空気流路形成部材２３を筐体２内における前面扉３の側面で図示しない所要の固定具で固定する。なお、図５に示す破線Ｂは、前面扉３とキャビネット部材４の境界である。空気流路形成部材２３の他端開口部は、実施例１と同様にして空気流路形成部材固定具２５に密嵌固定される。
【００２６】
また、送風ファン２６とファン取付具２７とパイプ４１（例えば、円筒形フランジ式金属管）の一端開口部の三者を締結し、パイプ４１の他端開口部を継手パイプ４２と連結することによって、吹出口２２を任意の位置に配置するように構成する。例えば、図５に示すように継手パイプ４２の開口部を主制御基板１３近傍に対向するように配置する。また、ファン取付具２７と空気流路形成部材２４が実施例１と同様にして連結されることにより、図５に示すように、フレキシブルダクト４１、空気流路形成部材２３、パイプ４１、および継手パイプ４２を介して、吸気口２１と吹出口２２とを連絡する閉空間の空気流路が形成される。
【００２７】
以上のように構成される本発明に係る吸煙浄化装置５を備えたスロットマシン１で、遊技者が喫煙を開始し、煙草をスロットマシン１の前面に設けられた喫煙用灰皿１６に近づけると、煙センサ３３が紫煙を感知し送風ファン２６が駆動される。送風ファン２６の駆動により、吸煙浄化装置５に空気流が発生し、紫煙がネット３２を通過する。ネット３２への沈着によってタール成分が減少した後、メダル受け皿１５に挿嵌固定されたフレキシブルホースを介して鉛直方向上向きに空気流の方向が転換され、吸煙浄化装置５の内部に吸引されてエアフィルター２４が装填された空気流路形成部材２３内に流入する。エアフィルター２４を通過することにより消煙、消臭された清浄空気は、送風ファン２６を通じてパイプ４１、継手パイプ４２内を通じ、継手パイプ４２の開口部より筐体２内に放出される。放出された空気は、図５における破線矢印Ａで示すように、対向する主制御基板１３に吹き付けられ、主制御基板１３近傍の筐体２の壁面に穿設された排気口６から外部へ排出される。喫煙者が喫煙を終了すると、煙センサ３３が紫煙を感知しないことにより、送風ファン２６は停止するよう制御される。
【００２８】
以上のように、空気流路を鉛直上向きとするように構成することにより、前面扉３の開閉時にスロットマシン１の構成部品に干渉する場合や、空気流路形成部材２３を水平方向に配置するには十分な空間が存在しない場合等に適用できる。吹出口２２を任意の位置に配置できるように構成することにより、主制御基板１３の強制冷却を実施例１よりも効果的に行い、スロットマシン１の電子回路が発する熱をより効果的に拡散できるため、遊技機周囲の紫煙拡散を防ぐとともに、電子回路の安定作動、耐用期間の保持に寄与することができる。
【００２９】
なお、上記２つの実施例において運転制御は、喫煙開始と送風ファン２６とを連動させるために煙センサ３３を吸気口２１に設置して行われたが、遊技者の遊技開始と送風ファン２６とを連動させてもよく、例えば、遊技者のメダルクレジットが貯留されているか否かを感知するセンサを配設し、メダルクレジットが貯留されている状態では送風ファン２６が駆動し、メダルクレジットがない状態ではファンが停止するような制御を行うように構成してもよい。また、スロットレバーにセンサおよびタイマーを配設し、レバーが叩かれると送風ファン２６が駆動し、駆動してから所定時間（例えば、３０秒）経過の後、送風ファン２６が停止するような制御を行うように構成してもよい。さらに、その他の運転制御として、送風ファン２６のモータにタイマーを配設し、モータがタイマーの設定する所定時間（例えば、５分）間隔での間欠駆動を行うように制御してもよい。無論、送風ファン２６は、連続運転させてもよい。
【００３０】
なお、上記２つの実施例において、本発明を適用した遊技機の一例としてスロットマシンを示したが、本発明は係る形態の遊技機に限定されるものではなく、パチンコ店、ゲームセンター等の遊技施設内における喫煙用灰皿を付設した遊技機、例えばパチンコ機、アーケードゲーム機のような他の種類の遊技機であっても同様に適用し、同様の効果を得ることができる。
【図面の簡単な説明】
【００３１】
【図１】本発明に係る吸煙浄化装置を備えた遊技機の一例としてスロットマシンの外観斜視図である。
【図２】上記吸煙浄化装置の分解斜視図である。
【図３】上記吸煙浄化装置の吸気口の斜視図である。
【図４】上記吸煙浄化装置を備えたスロットマシンの断面図である。
【図５】本発明に係る吸煙浄化装置を備えた遊技機の他の実施例としてスロットマシンの断面図である。
【図６】上記スロットマシンの前面扉を開放して内部構造を示す正面図である。
【図７】上記スロットマシンのスロット遊技装置が配設されたキャビネット部材の斜視図である。
【符号の説明】
【００３２】
１  スロットマシン
２  筐体
３  前面扉
４  キャビネット部材
５  吸煙浄化装置
６  排気口
１３  主制御基板
１６  喫煙用灰皿
２１  吸気口
２２  吹出口
２３  空気流路形成部材
２４  エアフィルター
２６  送風ファン
４１  パイプ
４２  継手パイプ
４３  フレキシブルホース
Ａ  清浄空気流路
Ｂ  前面扉−キャビネット部材境界
【図１】
2005087439.tif 000003
【図２】
2005087439.tif 000004
【図３】
2005087439.tif 000005
【図４】
2005087439.tif 000006
【図５】
2005087439.tif 000007
【図６】
2005087439.tif 000008
【図７】
2005087439.tif 000009